(57)【要約】【課題】  レンズユニットにバラツキがあってもその情報を正確にしかも簡便な方法で次工程に伝達する。【解決手段】  被写体像を結像する光学系６，７，１４，２０と、該光学系を駆動する駆動系９，１２，１６，１８とを有するレンズユニット２において、光学系及び駆動系の測定データ２１を外表面に付与した。【選択図】図１
2006011213.tif 000002
【特許請求の範囲】
【請求項１】
被写体像を結像する光学系と、該光学系を駆動する駆動系とを有するレンズユニットにおいて、
前記光学系及び駆動系の測定データを外表面に付与したことを特徴とするレンズユニット。
【請求項２】
被写体像を結像する光学系と、該光学系を駆動する駆動系とを有するレンズユニットの製造方法において、
レンズユニットの光学系と駆動系のデータを測定し、
前記測定したデータを記憶し、
前記記憶したデータをレンズユニットの外表面に付与することを特徴とするレンズユニットの製造方法。
【請求項３】
前記記憶したデータは、印字によってレンズユニットの外表面に付与することを特徴とする請求項２に記載のレンズユニットの製造方法。
【請求項４】
前記記憶したデータは、該データを保持したタグによってレンズユニットの外表面に付与することを特徴とする請求項２に記載のレンズユニットの製造方法。
【請求項５】
被写体像を結像する光学系と該光学系を駆動する駆動系を有するレンズユニットと、前記光学系で結像される被写体像を撮像する撮像素子とからなる撮像装置の製造方法において、
レンズユニットの光学系と駆動系のデータを測定し、
前記測定したデータを記憶し、
前記記憶したデータをレンズユニットの外表面に付与し、
前記レンズユニットに付与したデータを読み取り、
前記読み取ったデータに基づいて光学系と駆動系の調整値を演算し、
前記演算した調整値を記憶し、
前記記憶した調整値を確認することを特徴とする撮像装置の製造方法。
【請求項６】
前記記憶したデータは、印字によってレンズユニットの外表面に付与することを特徴とする請求項５に記載の撮像装置の製造方法。
【請求項７】
前記記憶したデータは、該データを保持したタグによってレンズユニットの外表面に付与することを特徴とする請求項５に記載の撮像装置の製造方法。
【発明の詳細な説明】
【技術分野】
【０００１】
本発明は、携帯情報端末（ＰＤＡ）や携帯電話等の携帯機器用のレンズユニット、レンズユニットの製造方法及び撮像装置の製造方法に関する。
【背景技術】
【０００２】
近年における携帯情報端末（ＰＤＡ）や携帯電話等の携帯機器には、撮像装置としてのカメラが搭載されている。カメラはレンズユニットと撮像素子からなり、撮像素子は近年１００画素、２００万画のものが使用され、その画素数は増加の傾向がある。このような撮像素子の高画素数化に伴い、高画素数の撮像素子に対応したレンズユニットが要望されている。反面、レンズユニットは、必要最小限の部品で構成するとともに、大量生産に適した製造を行えるようにする必要がある。
【０００３】
一般に、レンズユニットはレンズメーカーで製造され、携帯機器の製品メーカーに供給される。製品メーカーでは、レンズメーカーから供給されたレンズユニットに撮像素子を取り付けて携帯機器に搭載している。レンズユニットは同一の仕様であっても、光学的、電気的および機械的にバラツキがある。このため、製品メーカーでは、レンズメーカーから供給されるレンズユニット毎にバラツキを測定して、制御データを調整する必要があった。
【０００４】
レンズ側の情報を本体側で読み取る技術は公知である。例えば、特許文献１では、交換レンズに最大／最小絞り値を含むバーコードを印刷し、交換レンズをカメラに結合したときにバーコードを読み取って、交換レンズの絞り領域を正確に検出するカメラ装置が提案されている。また、特許文献２では、レンズ本体にレンズ識別情報の識別手段を設け、レンズ駆動装置をレンズ本体に装着すると、識別手段を読み取って、レンズ制御を行うようにしたレンズ装置が提案されている。
【０００５】
また、撮像装置ではないが、コンタクトレンズの製造工程においてバーコードにより情報を交換することが知られている。特許文献３では、通信システムをシンプルにしてトラブルの発生率を低くするために、眼鏡用プラスチックレンズの加工及び生産管理に必要な全てのデータを二次元バーコードで表した作業票をレンズ又はその移送体とともに流動させ、各工程でその二次元バーコードを読み取って必要な加工を行う生産システムが提案されている。特許文献４では、コンタクトレンズを設置したパッケージにリッドを貼り付けて封入し、該リッドにレンズの仕様に関する関連情報を含むバーコードを印刷し、殺菌後にバーコードから作成した言語情報を印刷する方法が提案されている。
【０００６】
【特許文献１】特開平８−２８６０８９号公報
【特許文献２】特開２００２−９０６１３号公報
【特許文献３】特開平８−２９４９７７号公報
【特許文献４】特表２００１−５２５２９８号公報
【発明の開示】
【発明が解決しようとする課題】
【０００７】
しかし、これらの特許文献のものは、個々のレンズのバラツキを調整するものではない。本発明は、レンズユニットにバラツキがあってもその情報を正確にしかも簡便な方法で次工程に伝達することができるレンズユニット、レンズユニットの製造方法提供することを課題とする。また、本発明は、レンズユニットにバラツキがあってもその情報を正確にしかも簡便な方法で次工程に伝達することができ、しかもレンズユニットのバラツキを調整することができる撮像装置の製造方法を提供することを課題とする。
【課題を解決するための手段】
【０００８】
前記課題を解決するために、本発明のレンズユニットは、被写体像を結像する光学系と、該光学系を駆動する駆動系とを有するレンズユニットにおいて、前記光学系及び駆動系の測定データを外表面に付与したものである。
【０００９】
また、本発明のレンズユニットの製造方法は、被写体像を結像する光学系と、該光学系を駆動する駆動系とを有するレンズユニットの製造方法において、レンズユニットの光学系と駆動系のデータを測定し、前記測定したデータを記憶し、前記記憶したデータをレンズユニットの外表面に付与するものである。
【００１０】
さらに、本発明の撮像装置の製造方法は、被写体像を結像する光学系と該光学系を駆動する駆動系を有するレンズユニットと、前記光学系で結像される被写体像を撮像する撮像素子とからなる撮像装置の製造方法において、レンズユニットの光学系と駆動系のデータを測定し、前記測定したデータを記憶し、前記記憶したデータをレンズユニットの外表面に付与し、前記レンズユニットに付与したデータを読み取り、前記読み取ったデータに基づいて光学系と駆動系の調整値を演算し、前記演算した調整値を記憶し、前記記憶した調整値を確認するものである。
【００１１】
前記記憶したデータは、印字や、該データを保持したタグによってレンズユニットの外表面に付与することができる。
【発明の効果】
【００１２】
本発明によれば、個々のレンズユニットの光学系及び駆動系にバラツキがあってもそれらの測定データを外表面に付与するので、光学系及び駆動系にバラツキの情報を正確にしかも簡便な方法で次工程に伝達することができる。次工程では、レンズユニットに撮像素子ユニットを接続して撮像素子とする際に、個々のレンズユニットの外表面に付与された測定データを読み取り、この測定データに基づいて個々のレンズユニットのバラツキを調整することができる。
【発明を実施するための最良の形態】
【００１３】
以下、本発明の実施の形態について説明する。図１は、撮像装置１の斜視図、図２はその断面図である。撮像装置１はレンズユニット２と撮像素子ユニット３からなっている。レンズユニット１は、図２に示すように、ケース４の前端の開口部５に第１レンズ群６が固定して設けられている。ケース４の内部には、第２レンズ群７を保持する第１玉枠８が設けられている。第１玉枠８の下端縁はケース４内の下部に設けた第１ボールねじ９に螺合し、上端縁はケース４内の上部に設けた第１つり軸１０に係合している。第１ボールねじ９は第１モータ１２によって回転し、これにより第１玉枠８は光軸方向Ｘに移動するようになっている。第１玉枠８の前面にはシャッタ・絞りユニット１３が取り付けられ、第１玉枠８とともに移動する。第１玉枠８の後方には、第３レンズ群１４を保持する第２玉枠１５が設けられている。第２玉枠１５の上端縁はケース４内の上部に設けた第２ボールねじ１６に螺合し、下端縁はケース４内の下部に設けた第２つり軸１７に係合している。第２ボールねじ１６は第２モータ１８によって回転し、これにより第２玉枠１５は光軸方向Ｘに移動するようになっている。ケース４の後端の開口部１９には第４レンズ群２０が固定して設けられている。
【００１４】
レンズユニット２のケース４の側面には、二次元バーコード２１が付与されている。二次元バーコード２１はケース４の側面に直接印刷されていてもよいし、シートに印刷したものを貼付してもよい。二次元バーコード２１は、Code49（Intermec社）、PDF417（Symbol Technologies社）等のスタック型、Veri Code（VERITEC社）、Data Matrix（I.D.MATRIX社）、CR CODE（株式会社デンソー）、Micro QR CODE（株式会社デンソー）等のマトリックス型があるが、任意のものを使用することができる。二次元バーコード２１には、レンズユニット２の各種データ情報、例えば、レンズバック（第４レンズ群２０から撮像素子２２までの距離）、非点収差，球面収差及び片ボケ（レンズ中心の光軸からのズレによるボケ量）等の収差量、光軸ズレ量、画像周辺の周辺照度、レンズバック等の温度変化係数、ズーム駆動量、フォーカス駆動量、Ｆナンバー等の光学的データ；原点位置，メカ端データ，近似直線（曲線）データ，無限位置，マクロ位置データ及び温度特性等のセンサー情報、ＭＡＸ速度，ＭＩＮ速度，ＴＹＰ速度，推力等のモーター情報等の電気的データ；及びバックラッシュ、駆動負荷等の機械的データだけでなく、それらを演算するための係数等のあらゆる関係データが表されている。
【００１５】
撮像素子ユニット３は、ＣＣＤ等の撮像素子２２を有する。撮像素子ユニット３は、前記レンズユニット２のケース４の後端、すなわち、第４レンズ群２０の後方に取り付けられ、前記第１レンズ群６、第２レンズ群７、第３レンズ群１４及び第４レンズ群２０を経て被写体像を撮像素子２２上に結像するようになっている。
【００１６】
次に、レンズユニット２の製造方法、特にその測定工程と、撮像装置１の製造方法、特にその調整工程について説明する。
【００１７】
図３はレンズユニットのライン生産方式の製造工程の特に測定工程を示す。組み立てられたレンズユニット２を搬送するラインに沿って、レンズユニット２の光学的データを測定する第１測定装置２３、電気的データを測定する第２測定装置２４、機械的データを測定する第３測定装置２４が配置され、第３測定装置２４の下流側には記憶装置２６を有するコード付与装置２７が配置されている。セル生産方式の場合は、各装置が作業者の周りに配置される。このラインでは、組み立てられたレンズユニット２の測定と２次元バーコードの付与を行う。コード付与装置２７は、インクジェット式等のプリンタを有するバーコードライタである。
【００１８】
図４は携帯機器のライン生産方式の製造工程の特にその調整工程を示す。ラインに沿って二次元バーコードリーダー等のコード読取装置２８、記憶装置２９、調整値演算装置３０及び調整値書込装置３１からなる調整装置３２が配置されている。このラインでは、前工程でコード２１が付与されたレンズユニット２に撮像素子ユニット３を組み付け、携帯電話等の携帯機器３３に搭載するとともに、レンズユニット２に付与されたコードを読み取って、調整を行う。携帯機器３３は、メモリ３４と制御装置３５を有する。
【００１９】
レンズユニット２の測定工程について、図５のフローチャートに従って説明すると、ステップＳ１０１で各測定装置２３，２４，２５によりデータを測定する。すなわち、第１測定装置２３で前述の光学的データを測定し、第２測定装置２４で電気的データを測定し、第３測定装置２４で機械的データを測定する。第１から第３の各測定装置２３，２４，２５で測定したデータはステップＳ１０２で記憶装置２６に記憶する。ステップＳ１０３で１つの項目の測定回数が予め設定された測定回数Ｎになれば、ステップＳ１０４で測定データの平均値を記憶装置２６に記憶する。ステップＳ１０５で全ての測定項目が終わったことを確認すると、ステップＳ１０６で、コード付与装置２７において、前記光学的データ、電気的データ及び機械的データを表すコードをレンズユニット２の側面に付与する。コードの付与の方法としては、レンズユニット２の側面に二次元バーコード２１を直接印刷する方法、二次元バーコード２１を印刷したラベルをレンズユニット２の側面に貼着する方法、二次元バーコード２１を印刷したタグをレンズユニット２に添え付ける方法、コードを記憶させた電子タグをレンズユニット２に添え付ける方法等があるが、これらの限定されるものではない。
【００２０】
次に、撮像装置１の調整工程について、図６のフローチャートに従って説明する。ステップＳ２０１でコード読取装置２８によりレンズユニット２の側面の二次元バーコード２１を読み取り、ステップＳ２０２で読み取ったバーコード情報を記憶装置２９に記憶する。ステップＳ２０３で調整値演算装置３０によりバーコード情報から調整値を演算し、ステップＳ２０４で調整値を携帯機器３３のメモリ３４に書き込む。最後に、ステップ２０５で、撮像装置１を駆動して調整値を確認する。
【００２１】
一例として、測定工程において、あるレンズユニット２の第２レンズ群７のズーム駆動量を第１モータ１２に接続したエンコーダで測定し、１０ｍｍ当たり７７パルスを得たとする。この場合、７．７パルス／ｍｍであるから、調整工程では、当初の設計値７パルス／ｍｍに対する調整値を演算し、７．７／７＝１．１を得て、この調整値１．１をメモリ３４に書き込む。携帯機器３３の制御装置３５は、設計値７パルス／ｍｍにメモリ３４の調整値１．１を乗じて７．７パルス／ｍｍをフォーカス駆動量とする。最後に、この調整されたフォーカス駆動量で第２レンズ群７が移動するか否かを確認する。
【００２２】
以上のように、レンズユニット２の測定工程においてレンズユニット２の光学的、電気的、機械的データが測定され、これらの測定データが２次元バーコード２１としてレンズユニット２の側面に付与される。したがって、個々のレンズユニット２の光学系及び駆動系にバラツキがあってもそれらの測定データが２次元バーコード２１を介して次工程の調整工程に簡便に伝達される。また、次工程の調整工程では、個々のレンズユニット２の２次元バーコード２１を読み取り、この測定データに基づいて個々のレンズ夕ニット２のバラツキを調整することができる。
【図面の簡単な説明】
【００２３】
【図１】本発明に係る撮像装置の斜視図。
【図２】図１の撮像装置の断面図。
【図３】レンズユニットの製造工程を示す図。
【図４】撮像装置の製造工程を示す図。
【図５】測定工程を示すフローチャート。
【図６】調整工程を示すフローチャート。
【符号の説明】
【００２４】
１…撮像装置、２…レンズユニット、３…撮像素子ユニット、６…第１レンズ群、７…第２レンズ群、９…第１ボールねじ、１２…第１モータ、１４…第３レンズ群、１６…第２ボールねじ、１８…第２モータ、２０…第４レンズ群、２１…２次元バーコード、２２…撮像素子、２３…第１測定装置、２４…第２測定装置、２５…第３測定装置、２６…記憶装置、２７…コード付与装置、２８…コード読取装置、２９…記憶装置、３０…調整値演算装置、３１…調整値書込装置、３２…調整装置、３３…携帯機器、３４…メモリ
【図１】
2006011213.tif 000003
【図２】
2006011213.tif 000004
【図３】
2006011213.tif 000005
【図４】
2006011213.tif 000006
【図５】
2006011213.tif 000007
【図６】
2006011213.tif 000008